(57)【要約】【課題】コストアップを抑えつつ、１つのリモコン装置でテレビ装置およびアンプ内蔵スピーカ装置を操作可能となり利便性が高いものとなるテレビ装置を提供する。【解決手段】音声をデジタル転送するためのシリアル通信規格のフォーマットで音声データをアンプ内蔵スピーカ装置へ送信するテレビ装置において、テレビ装置の所定機能を発揮させるための操作子がリモコン装置において操作されると、前記シリアル通信規格のフォーマットで前記所定機能に対応した制御コードを前記アンプ内蔵スピーカ装置に送信する制御コード送信部を備えた構成とする。【選択図】図１
2012004923.tif 000002
【特許請求の範囲】
【請求項１】
音声をデジタル転送するためのシリアル通信規格のフォーマットで音声データをアンプ内蔵スピーカ装置へ送信するテレビ装置において、
テレビ装置の所定機能を発揮させるための操作子がリモコン装置において操作されると、前記シリアル通信規格のフォーマットで前記所定機能に対応した制御コードを前記アンプ内蔵スピーカ装置に送信する制御コード送信部を備えたことを特徴とするテレビ装置。
【請求項２】
前記所定機能は、電源オン機能、電源オフ機能並びに音量調整機能の少なくともいずれかであることを特徴とする請求項１に記載のテレビ装置。
【請求項３】
前記制御コード送信部は、前記制御コードを一定時間送信することを特徴とする請求項１または請求項２に記載のテレビ装置。
【請求項４】
テレビ装置の電源オン機能を発揮させるための操作子が前記リモコン装置において操作され、前記制御コード送信部が前記制御コードを送信する際、テレビ装置が有するスピーカをミュートするミュート制御部を備えたことを特徴とする請求項１〜請求項３のいずれかに記載のテレビ装置。
【請求項５】
前記シリアル通信規格は、Ｓ／ＰＤＩＦ（Sony Philips Digital InterFace）であることを特徴とする請求項１〜請求項４のいずれかに記載のテレビ装置。
【請求項６】
請求項１〜請求項５のいずれかに記載のテレビ装置と、アンプ内蔵スピーカ装置とを有するスピーカシステム。
【発明の詳細な説明】
【技術分野】
【０００１】
本発明は、テレビ装置とアンプ内蔵スピーカ装置とのリンク機能に関する。
【背景技術】
【０００２】
従来より、テレビ装置とこのテレビ装置に接続されるアンプ内蔵スピーカ装置とからなるスピーカシステムが様々開発されている（例えば、特許文献１を参照）。特に近年では、外観がバー形状のアンプ内蔵スピーカ装置であるいわゆるサウンドバーが普及してきている。
【０００３】
また近年、テレビ装置および上記サウンドバーいずれにもＳ／ＰＤＩＦ（Sony Philips Digital InterFace）端子が標準的に備えられていることが多い。Ｓ／ＰＤＩＦは、音声データをデジタル転送するためのシリアル通信規格である。転送されるデータは、デジタル符号化音声データ（Dolby Digital、Advanced Audio Coding等）もしくはリニアＰＣＭデータの音声データと、コピー保護フラグ等の各種付加データなどから構成される。Ｓ／ＰＤＩＦ端子は、光デジタル音声端子と同軸デジタル音声端子が規格化されている。テレビ装置とサウンドバーそれぞれのＳ／ＰＤＩＦ端子同士を１本のケーブルで接続することで、テレビ装置からサウンドバーへ音声をデジタル転送でき、ユーザはサウンドバーから音声を聴くことができる。
【先行技術文献】
【特許文献】
【０００４】
【特許文献１】特表２００７−０５２６２５号公報
【発明の概要】
【発明が解決しようとする課題】
【０００５】
ここで、従来のテレビ装置およびサウンドバーからなるスピーカシステムにおいては、テレビ装置およびサウンドバーそれぞれ専用のリモコン装置が付属されており、各機器の操作は各機器専用のリモコンで行う必要があり利便性に欠けるという問題があった。
【０００６】
そこで、近年普及しているいわゆるリンク機能を追加することにより、１つのリモコンでテレビ装置およびサウンドバーを操作できるようにすることが考えられる。しかし、これでは、上述したＳ／ＰＤＩＦ端子とは別にＩＲ端子、ＨＤＭＩ（High-Definition Multimedia Interface）端子等のリンク用の部品を追加する必要があり、コストアップしてしまうという問題がある。
【０００７】
上記問題点を鑑み、本発明は、Ｓ／ＰＤＩＦ等の音声データをデジタル転送するためのシリアル通信規格に対応したテレビ装置およびスピーカシステムにおいて、コストアップを抑えつつ、１つのリモコン装置でテレビ装置およびアンプ内蔵スピーカ装置を操作可能な利便性の高いテレビ装置およびスピーカシステムを提供することを目的とする。
【課題を解決するための手段】
【０００８】
上記目的を達成するために本発明は、音声をデジタル転送するためのシリアル通信規格のフォーマットで音声データをアンプ内蔵スピーカ装置へ送信するテレビ装置において、
テレビ装置の所定機能を発揮させるための操作子がリモコン装置において操作されると、前記シリアル通信規格のフォーマットで前記所定機能に対応した制御コードを前記アンプ内蔵スピーカ装置に送信する制御コード送信部を備えた構成とする。
【０００９】
このような構成によれば、１つのリモコン装置の操作子を操作することで、テレビ装置およびアンプ内蔵スピーカ装置において所定機能を発揮させることができるので、ユーザにとって利便性が高いものとなる。また、音声をデジタル転送するためのシリアル通信規格を用いて制御コードを送信するので、別途の規格の部品を追加する必要がなくリンク機能を実現でき、コストアップを抑えることができる。
【００１０】
また、上記構成において、前記所定機能は、電源オン機能、電源オフ機能並びに音量調整機能の少なくともいずれかであってもよい。
【００１１】
また、上記いずれかの構成において、前記制御コード送信部は、前記制御コードを一定時間送信するようにしてもよい。これにより、アンプ内蔵スピーカ装置側で制御コードが確実に送信されていることを確認することができる。
【００１２】
また、上記いずれかの構成において、テレビ装置の電源オン機能を発揮させるための操作子が前記リモコン装置において操作され、前記制御コード送信部が前記制御コードを送信する際、テレビ装置が有するスピーカをミュートするミュート制御部を備えた構成としてもよい。これにより、電源オン同期制御のときに、テレビ装置側のスピーカをミュートし、アンプ内蔵スピーカ装置側のスピーカを優先させることができる。
【００１３】
また、上記いずれかの構成において、前記シリアル通信規格は、Ｓ／ＰＤＩＦ（Sony Philips Digital InterFace）としてもよい。
【００１４】
また、本発明は、上記いずれかの構成のテレビ装置と、アンプ内蔵スピーカ装置とを有するスピーカシステムとする。
【発明の効果】
【００１５】
本発明によれば、コストアップを抑えつつ、１つのリモコン装置でテレビ装置およびアンプ内蔵スピーカ装置を操作可能となり利便性が高いものとなる。
【図面の簡単な説明】
【００１６】
【図１】本発明の一実施形態に係るスピーカシステムの概略構成図である。
【図２】電源オン同期制御におけるテレビ装置の動作を示すフローチャートである。
【図３】電源オン同期制御におけるサウンドバーの動作を示すフローチャートである。
【図４】音量アップ制御におけるテレビ装置の動作を示すフローチャートである。
【図５】音量アップ制御におけるサウンドバーの動作を示すフローチャートである。
【図６】電源オフ同期制御におけるテレビ装置の動作を示すフローチャートである。
【図７】電源オフ同期制御におけるサウンドバーの動作を示すフローチャートである。
【図８】Ｓ／ＰＤＩＦフォーマットを示す図である。
【発明を実施するための形態】
【００１７】
以下に本発明の実施形態を図面を参照して説明する。ここでは、デジタル放送受信可能なテレビ装置とサウンドバーからなるスピーカシステムを一例に挙げて説明する。
【００１８】
図１は、本発明の一実施形態に係るスピーカシステムの概略構成について示す図である。本発明のスピーカシステムは、デジタル放送受信可能なテレビ装置１００とアンプ内蔵スピーカ装置であるサウンドバー２００とからなる。
【００１９】
テレビ装置１００は、チューナ２と、復調ＩＣ３と、ＤＥＭＵＸ（デマルチプレクサ）４と、映像デコーダ５と、映像出力部６と、液晶パネル７と、音声デコーダ８と、Ｄ級アンプ９と、スピーカ１０と、Ｓ／ＰＤＩＦ送信部１１と、Ｓ／ＰＤＩＦ端子１２と、リモコン受光部１３と、マイコン１４と、フラッシュメモリ１５と、を備えている。チューナ２には、アンテナ１が接続される。
【００２０】
また、サウンドバー２００は、マイコン１６と、ＤＳＰ（Digital Signal Processor）１７と、Ｄ級アンプ１８と、スピーカ１９と、Ｓ／ＰＤＩＦ端子２０と、を備えている。Ｓ／ＰＤＩＦ端子１２とＳ／ＰＤＩＦ端子２０とは、ケーブル３０により接続される。
【００２１】
チューナ２は、アンテナ１から受信したデジタル放送信号から選局周波数の放送信号を選局し、選局された放送信号を復調ＩＣ３に出力する。復調ＩＣ３は、受信した放送信号をＯＦＤＭ（Orthogonal Frequency Division Multiplexing）方式で復調し、ビダビ復号等を用いて誤り訂正を行いＴＳ（Transport Stream）データを取り出す。
【００２２】
ＤＥＭＵＸ４は、ＴＳデータから映像ストリームデータを抽出し映像デコーダ５に出力すると共に、ＴＳデータから音声ストリームデータを抽出し音声デコーダ８に出力する。
【００２３】
映像デコーダ５は、映像ストリームデータをデコードし、デジタル映像データを映像出力部６に出力する。映像出力部６は、デジタル映像データを液晶パネル７の表示に適した形式の映像信号に変換し、液晶パネル７に出力する。液晶パネル７は、映像出力部６から入力される映像信号に基づき映像を表示する。
【００２４】
音声デコーダ８は、音声ストリームデータをデコードし、デジタル音声データをＤ級アンプ９またはＳ／ＰＤＩＦ送信部１１に送信する。Ｄ級アンプ９は、デジタル音声データに基づきスピーカ１０の駆動信号を生成し、スピーカ１０を駆動させる。
【００２５】
Ｓ／ＰＤＩＦ送信部１１は、デジタル音声データ、付加データ等から構成されるＳ／ＰＤＩＦフォーマットデータを生成し、生成したＳ／ＰＤＩＦフォーマットデータをＳ／ＰＤＩＦ端子１２、ケーブル３０を介してサウンドバー２００へ送信する。なお、Ｓ／ＰＤＩＦ端子１２は、光デジタル音声端子（オプティカル）または同軸デジタル音声端子（コアキシャル）で構成される（Ｓ／ＰＤＩＦ端子２０も同様）。
【００２６】
リモコン受光部１３は、リモコン装置３００からキー操作に対応した赤外線信号を受信し、受信した赤外線信号をリモコンコードに変換する。リモコン装置３００は、電源キー、音量アップキー、音量ダウンキー等の各種キーが設けられる。
【００２７】
マイコン１４は、ＣＰＵ、ＲＯＭ等から構成され、テレビ装置１００を統括的に制御する。フラッシュメモリ１５は、書き換え可能な不揮発性メモリであり、設定情報等が記憶される。
【００２８】
また、サウンドバー２００において、ＤＳＰ１７は、Ｓ／ＰＤＩＦ端子２０を介して受信したＳ／ＰＤＩＦフォーマットデータから音声データを抽出し、抽出された音声データを音量調整してＤ級アンプ１８に出力する。Ｄ級アンプ１８は、音声データに基づきスピーカ１９の駆動信号を生成し、スピーカ１９を駆動させる。マイコン１６は、主にサウンドバー２００の電源制御を行う。
【００２９】
次に、本発明に係るスピーカシステムにおけるリンク機能について以下説明する。
【００３０】
（電源オン同期制御）
ここでは、本発明に係るスピーカシステムにおける電源オン同期制御について説明する。図２に、電源オン同期制御におけるテレビ装置１００の動作を、図３に、電源オン同期制御におけるサウンドバー２００の動作を示す。
【００３１】
まず、リモコン装置３００において電源キーにより電源オン操作がされ、電源キーのリモコンコードを待機中のマイコン１４がリモコン受光部１３から受信すると、図２のフローチャートが開始され、ステップＳ２０で、マイコン１４は、テレビ装置１００の電源をオンとする。次に、ステップＳ２１で、マイコン１４は、ＴＶ／サウンドバー同期モードが有効か否かを判定する。
【００３２】
ここで、ＴＶ／サウンドバー同期モードの設定については、例えば、リモコン装置３００に設けられた専用キーの操作がされるたびに、ＴＶ／サウンドバー同期モードの有効・無効の設定が切り替わるようにしてもよい。また、例えば、ＯＳＤ（On-Screen Display）メニュー内にＴＶ／サウンドバー同期モードの設定機能を設け、ＯＳＤ画面上でＴＶ／サウンドバー同期モードの有効・無効を設定できるようにしてもよい。
【００３３】
もしＴＶ／サウンドバー同期モードが有効になっていれば（ステップＳ２１のＹ）、ステップＳ２２に進み、Ｓ／ＰＤＩＦ送信部１１は、マイコン１４の指示により、ＴＶ／ＳＯＵＮＤ  ＢＡＲ  ＳＹＮＣ  ＯＮの制御コードをＳ／ＰＤＩＦフォーマットでサウンドバー２００へ一定時間送信する。
【００３４】
ここで、図８に、Ｓ／ＰＤＩＦフォーマットを示す。Ｓ／ＰＤＩＦフォーマットの最小単位はサブフレームと呼ばれ、サブフレームはＣｈ−１（Ｌ−ｃｈ）またはＣｈ−２（Ｒ−ｃｈ）のデータである。そして、２つのサブフレームによりフレームが構成され、フレームが１９２個集まりブロックが構成される。
【００３５】
サブフレームは３２ビットで構成され、それぞれのビットをタイムスロットと呼ぶ。先頭から９番目から２８番目までのタイムスロットが音声データに使用される。また、先頭から３１番目のタイムスロットをチャンネルステータスと呼び、この１ビットが１ブロック分、つまり１９２ビット集められて合計２４バイトのデータとして扱われる。この２４バイトのチャンネルステータスのうち未定義の領域を、上述したＴＶ／ＳＯＵＮＤ  ＢＡＲ  ＳＹＮＣ  ＯＮの制御コードの送信に用いる。なお、この領域は、後述するその他の制御コードの送信にも用いられる。
【００３６】
なお、上述したＴＶ／ＳＯＵＮＤ  ＢＡＲ  ＳＹＮＣ  ＯＮの制御コードを一定時間送信するとは、制御コードが含まれた１ブロック分のデータを所定回数繰り返し送信することをいう。
【００３７】
また、ステップＳ２２では、制御コードの送信と共に、テレビ装置１００のスピーカ１０がミュートされる。これは、例えば、マイコン１４の制御によりＤ級アンプ９の前段にあるトランジスタスイッチ（不図示）をオフにすればよい。
【００３８】
そして、ステップＳ２３で、Ｓ／ＰＤＩＦ送信部１１は、音声デコーダ８からの音声データをＳ／ＰＤＩＦフォーマットでサウンドバー２００へ送信することを開始する。
【００３９】
なお、ＴＶ／サウンドバー同期モードが無効になっていれば（ステップＳ２１のＮ）、ステップＳ２４に進み、音声デコーダ８は、Ｄ級アンプ９に音声データを送信開始し、スピーカ１０から音声が発生する。
【００４０】
また、このときのサウンドバー２００側の動作を説明すると、まず、ステップＳ３０で、待機中のマイコン１６がＳ／ＰＤＩＦ端子２０からの入力を監視しており、もし信号が入力されたことを検出すると（ステップＳ３０のＹ）、ステップＳ３１で、マイコン１６は、サウンドバー２００の電源をオンとする。これにより、ＤＳＰ１７が起動する。
【００４１】
次に、ステップＳ３２で、ＤＳＰ１７は、変数Ｉを０に初期化する。そして、ステップＳ３３で、ＤＳＰ１７は、受信したＳ／ＰＤＩＦフォーマットデータから制御コードの領域のデータを抽出し、抽出したデータがＴＶ／ＳＯＵＮＤ  ＢＡＲ  ＳＹＮＣ  ＯＮの制御コードであるか否かを判定する。もしＴＶ／ＳＯＵＮＤ  ＢＡＲ  ＳＹＮＣ  ＯＮの制御コードであれば（ステップＳ３３のＹ）、ステップＳ３４に進み、ＤＳＰ１７は、Ｉをインクリメントし、ステップＳ３５に進み、Ｉが３になったか否かを判定し、３になっていなければ（ステップＳ３５のＮ）、ステップＳ３３に戻る。
【００４２】
そして、Ｉが３になっていれば（ステップＳ３５のＹ）、ステップＳ３６に進み、ＤＳＰ１７は、ＴＶ／サウンドバー同期モードに移行する。移行後、ＤＳＰ１７は、Ｓ／ＰＤＩＦ端子２０から入力されるＳ／ＰＤＩＦフォーマットデータから音声データを抽出し、音量調整後Ｄ級アンプ１８に送信することを開始する。これにより、スピーカ１９から音声が発生する。
【００４３】
なお、ステップＳ３３で、抽出したデータがＴＶ／ＳＯＵＮＤ  ＢＡＲ  ＳＹＮＣ  ＯＮの制御コードでなければ（ステップＳ３３のＮ）、ステップＳ３７に進み、ＤＳＰ１７は、ＴＶ／サウンドバー同期モードには移行しない。
【００４４】
このような制御によれば、リモコン装置３００で電源オン操作をすれば、テレビ装置１００の電源がオンとなると共に、自動的にサウンドバー２００の電源もオンとなる。そして、ＴＶ／ＳＯＵＮＤ  ＢＡＲ  ＳＹＮＣ  ＯＮの制御コードを受信したことを３回検出できれば、サウンドバー２００のＤＳＰ１７がＴＶ／サウンドバー同期モードに移行し、サウンドバー２００のスピーカ１９から音声を聴くことができる。
【００４５】
（音量調整制御）
次に、本発明に係るスピーカシステムにおける音量調整制御について説明する。ここでは、音量アップ制御について詳述するが、音量ダウン制御については同様であるので詳述を省く。図４に、音量アップ制御におけるテレビ装置１００の動作を、図５に、音量アップ制御におけるサウンドバー２００の動作を示す。
【００４６】
まず、リモコン装置３００において音量アップキーが操作され、音量アップキーのリモコンコードをマイコン１４がリモコン受光部１３から受信すると、図４のフローチャートが開始され、ステップＳ４０で、マイコン１４は、ＴＶ／サウンドバー同期モードが有効か否かを判定し、有効であれば（ステップＳ４０のＹ）、ステップＳ４１に進む。
【００４７】
ステップＳ４１で、Ｓ／ＰＤＩＦ送信部１１は、マイコン１４の指示により、Ｓ／ＰＤＩＦフォーマットでＶＯＬＵＭＥ  ＵＰの制御コードをサウンドバー２００へ一定時間送信する。ここでは、音声データと制御コードを含んだ１ブロック分のデータを３回送信する。
【００４８】
そして、ステップＳ４２で、マイコン１４は、リモコン受光部１３から音量アップキーのリモコンコードを受信しているか否かを確認し、受信していれば（ステップＳ４２のＹ）、ステップＳ４３で、Ｓ／ＰＤＩＦ送信部１１は、マイコン１４の指示により、Ｓ／ＰＤＩＦフォーマットでＶＯＬＵＭＥ  ＵＰの制御コードをサウンドバー２００へ送信する。ここでは、音声データと制御コードを含んだ１ブロック分のデータを送信する。
【００４９】
そして、音量アップキーのリモコンコードを受信していなければ（ステップＳ４２のＮ）、処理は終了する（エンド）。
【００５０】
なお、ＴＶ／サウンドバー同期モードが無効であれば（ステップＳ４０のＮ）、ステップＳ４４に進み、音声デコーダ８が音声データを音量アップ調整し、スピーカ１０から発生する音声の音量がアップする。
【００５１】
また、サウンドバー２００側では、ＴＶ／サウンドバー同期モードへ移行後、ＤＳＰ１７は、Ｓ／ＰＤＩＦ端子２０から入力されるＳ／ＰＤＩＦフォーマットデータから制御コードの領域のデータを抽出し、抽出したデータが所定の制御コードであるかを判定している。ここで、抽出したデータがＶＯＬＵＭＥ  ＵＰの制御コードであれば、ＤＳＰ１７は、変数Ｉを０に初期化し、図５のフローチャートが開始される。
【００５２】
まず、ステップＳ５０で、ＤＳＰ１７は、Ｉをインクリメントし、ステップＳ５１で、Ｉが３になったか否かを判定する。Ｉが３になっていなければ（ステップＳ５１のＮ）、ステップＳ５２に進み、ＤＳＰ１７は、Ｓ／ＰＤＩＦ端子２０から入力されるＳ／ＰＤＩＦフォーマットデータから制御コードの領域のデータを抽出し、抽出したデータがＶＯＬＵＭＥ  ＵＰの制御コードであるか否かを判定する。ＶＯＬＵＭＥ  ＵＰの制御コードであれば（ステップＳ５２のＹ）、ステップＳ５０に戻る。
【００５３】
そして、もしＩが３になっていれば（ステップＳ５１のＹ）、ステップＳ５３に進み、ＤＳＰ１７は、音量アップ調整を行い、ステップＳ５４に進む。ステップＳ５４で、所定時間内にＤＳＰ１７が、Ｓ／ＰＤＩＦ端子２０から入力されるＳ／ＰＤＩＦフォーマットデータから制御コードの領域のデータを抽出し、抽出したデータがＶＯＬＵＭＥ  ＵＰの制御コードであると判定すれば（ステップＳ５４のＹ）、ステップＳ５５に進み、ＤＳＰ１７は、音量アップ調整を行い、ステップＳ５４に戻る。
【００５４】
また、ステップＳ５２で、抽出したデータがＶＯＬＵＭＥ  ＵＰの制御コードでない場合や（ステップＳ５２のＮ）、ステップＳ５４で、所定時間内にＶＯＬＵＭＥ  ＵＰの制御コードであるとの判定ができなければ（ステップＳ５４のＮ）、処理は終了する（エンド）。
【００５５】
このような制御によれば、リモコン装置３００で音量アップキーの操作をすれば、テレビ装置１００からサウンドバー２００へＶＯＬＵＭＥ  ＵＰの制御コードを一定時間送信し、サウンドバー２００側でＶＯＬＵＭＥ  ＵＰの制御コードを受信したことを３回検出できれば、スピーカ１９から発生する音声の音量がアップされる。そして、音量アップキーが操作され続けられた場合はＶＯＬＵＭＥ  ＵＰの制御コードが送信され続け、サウンドバー２００で音量が順次アップされてゆく。
【００５６】
また、音量アップキーが間欠的に操作された場合は、最初の操作ではＶＯＬＵＭＥ  ＵＰの制御コードが一定時間送信され、サウンドバー２００側でＶＯＬＵＭＥ  ＵＰの制御コードを受信したことを３回検出できれば、スピーカ１９から発生する音声の音量がアップされる。２回目の操作では、再びＶＯＬＵＭＥ  ＵＰの制御コードが一定時間送信されるので、サウンドバー２００側では所定時間内にＶＯＬＵＭＥ  ＵＰの制御コードを受信したことが検出され、さらに音量がアップされ、３回目以降の操作でも同様となり、音量が順次アップされてゆく。
【００５７】
なお、音量ダウン制御については、上述した音量アップ制御において、音量アップキーを音量ダウンキーに置き換え、ＶＯＬＵＭＥ  ＵＰの制御コードはＶＯＬＵＭＥ  ＤＯＷＮの制御コードに置き換えればよい。
【００５８】
（電源オフ同期制御）
次に、本発明に係るスピーカシステムにおける電源オフ同期制御について説明する。図６に、電源オフ同期制御におけるテレビ装置１００の動作を、図７に、電源オフ同期制御におけるサウンドバー２００の動作を示す。
【００５９】
リモコン装置３００において電源キーにより電源オフ操作がされ、電源キーのリモコンコードをマイコン１４がリモコン受光部１３から受信すると、図６のフローチャートが開始される。
【００６０】
まず、ステップＳ６０で、マイコン１４は、ＴＶ／サウンドバー同期モードが有効か否かを判定し、有効であれば（ステップＳ６０のＹ）、ステップＳ６１に進み、Ｓ／ＰＤＩＦ送信部１１は、マイコン１４の指示により、Ｓ／ＰＤＩＦフォーマットでＰＯＷＥＲ  ＯＦＦの制御コードをサウンドバー２００へ一定時間送信する。ここでは、音声データと制御コードを含んだ１ブロック分のデータを３回送信する。そして、ステップＳ６２で、マイコン１４が、テレビ装置１００の電源をオフとして処理終了となる（エンド）。
【００６１】
また、ＴＶ／サウンドバー同期モードが無効であれば（ステップＳ６０のＮ）、ステップＳ６２に進み、そのままマイコン１４が、テレビ装置１００の電源をオフとして処理終了となる（エンド）。
【００６２】
また、サウンドバー２００側では、ＴＶ／サウンドバー同期モードへ移行後、ＤＳＰ１７は、Ｓ／ＰＤＩＦ端子２０から入力されるＳ／ＰＤＩＦフォーマットデータから制御コードの領域のデータを抽出し、抽出したデータが所定の制御コードであるかを判定している。ここで、抽出したデータがＰＯＷＥＲ  ＯＦＦの制御コードであれば、ＤＳＰ１７は、変数Ｉを０に初期化し、図７のフローチャートが開始される。
【００６３】
まず、ステップＳ７０で、ＤＳＰ１７は、Ｉをインクリメントし、ステップＳ７１で、Ｉが３になったか否かを判定する。Ｉが３になっていなければ（ステップＳ７１のＮ）、ステップＳ７２に進み、ＤＳＰ１７は、Ｓ／ＰＤＩＦ端子２０から入力されるＳ／ＰＤＩＦフォーマットデータから制御コードの領域のデータを抽出し、抽出したデータがＰＯＷＥＲ  ＯＦＦの制御コードであるか否かを判定する。ＰＯＷＥＲ  ＯＦＦの制御コードであれば（ステップＳ７２のＹ）、ステップＳ７０に戻る。
【００６４】
そして、もしＩが３になっていれば（ステップＳ７１のＹ）、ステップＳ７３に進み、ＤＳＰ１７は、マイコン１６に指令し、マイコン１６がサウンドバー２００の電源をオフとし、処理が終了する（エンド）。
【００６５】
また、ステップＳ７２で、抽出したデータがＰＯＷＥＲ  ＯＦＦの制御コードでなければ（ステップＳ７２のＮ）、そのまま処理は終了する（エンド）。
【００６６】
このような制御によれば、リモコン装置３００で電源キーにより電源オフ操作をすれば、テレビ装置１００からサウンドバー２００へＰＯＷＥＲ  ＯＦＦの制御コードを一定時間送信し、テレビ装置１００の電源がオフとなると共に、サウンドバー２００側でＰＯＷＥＲ  ＯＦＦの制御コードを受信したことを３回検出できれば、サウンドバー２００の電源が自動的にオフとなる。
【００６７】
以上のように、ユーザは、１つのリモコン装置３００で、テレビ装置１００およびサウンドバー２００の電源オンオフ同期、および音量調整を操作することができ、利便性が高い。また、Ｓ／ＰＤＩＦフォーマットで制御コードを送信するので、Ｓ／ＰＤＩＦとは別途の規格の部品を追加することなくリンク機能を実現でき、コストアップを抑えることができる。
【００６８】
以上、本発明の実施形態について説明したが、本発明の趣旨の範囲内であれば、実施形態は様々に変更可能である。
【００６９】
例えば、上述した電源オンオフ同期制御、音量調整制御において、ＤＳＰ１７が行う処理は、マイコン１６が行うようにしてもよい（Ｓ／ＰＤＩＦ端子２０の出力はＤＳＰ１７へは行かないようにする）。この場合、音声データはマイコン１６からＤＳＰ１７へ送信するようにし、音量アップ・ダウンはマイコン１６からＤＳＰ１７へ指令するようにし、サウンドバー２００の電源オフはマイコン１６自体が行えばよい。
【００７０】
また、音量アップ制御において（図５）、ステップＳ５３の後、所定時間内にＶＯＬＵＭＥ  ＵＰの制御コードを受信することが３回繰り返された場合に音量アップ調整をするようにしてもよい（音量ダウンについても同様）。
【００７１】
また、上記実施形態では制御コードの確認は３回行うようにしていたが、３回に限らず、複数の所定回数確認するようにしてもよい。
【００７２】
また、電源オンオフ、音量調整に限らず、例えば、テレビ装置とサウンドバーの音質調整（低域強調等）を１つのリモコン装置で操作できるようにしてもよい。
【００７３】
また、Ｓ／ＰＤＩＦに限らず、デジタルオーディオインターフェースの規格としてＥＩＡＪ（日本電子機械工業会）が制定したＣＰ−１２０１の業務用規格を用いてもよい。この場合は、業務用規格の文字列領域や未定義領域に制御コードを含めるようにすればよい。さらに、その他にも、ＩＥＥＥ１３９４やＵＳＢ（Universal Serial Bus）を用いて制御コードを送信するようにしてもよい。
【符号の説明】
【００７４】
１    アンテナ
２    チューナ
３    復調ＩＣ
４    ＤＥＭＵＸ
５    映像デコーダ
６    映像出力部
７    液晶パネル
８    音声デコーダ
９    Ｄ級アンプ
１０    スピーカ
１１    Ｓ／ＰＤＩＦ送信部
１２    Ｓ／ＰＤＩＦ端子
１３    リモコン受光部
１４    マイコン
１５    フラッシュメモリ
１６    マイコン
１７    ＤＳＰ
１８    Ｄ級アンプ
１９    スピーカ
２０    Ｓ／ＰＤＩＦ端子
３０    ケーブル
１００    テレビ装置
２００    サウンドバー
３００    リモコン装置
【図１】
2012004923.tif 000003
【図２】
2012004923.tif 000004
【図３】
2012004923.tif 000005
【図４】
2012004923.tif 000006
【図５】
2012004923.tif 000007
【図６】
2012004923.tif 000008
【図７】
2012004923.tif 000009
【図８】
2012004923.tif 000010